(57)【要約】【課題】空気の湿度調節を行う調湿装置において、運転条件に拘らずその能力を最大限に発揮させる。【解決手段】調湿装置には、吸着素子（81,82）の上流での第１空気の温度を検出する第１検出手段と、加熱用熱交換器（102）および吸着素子（81,82）の上流での第２空気の温度を検出する第２検出手段とが設けられる。ここで、吸着側の吸着素子（81,82）へ導入される第１空気の温度から吸着熱の熱量を推測でき、この熱量から吸着素子（81,82）の温度を推測できる。そして、吸着素子（81,82）の温度の推測値と第２空気の温度の実測値との関係に基づき、第１再生動作と第２再生動作の何れか一方が選択される。調湿装置では、第２検出手段の検出値から第１検出手段の検出値を引いた値が基準値より小さいと第１再生動作が選択され、第２検出手段の検出値から第１検出手段の検出値を引いた値が基準値より大きいと第２再生動作が選択される。【選択図】図１
2005156003.tif 000002
【特許請求の範囲】
【請求項１】
流通する空気を吸着剤と接触させるための調湿用通路（85）と流通する空気を該調湿用通路（85）の空気と熱交換させるための冷却用通路（86）とが形成された吸着素子（81,82,150）と、
上記吸着素子（81,82,150）へ向かう空気を加熱するための加熱器（102）とを備え、
第１空気を吸着素子（81,82,150）の調湿用通路（85）へ導入して第１空気中の水分を該吸着素子（81,82,150）へ吸着させる吸着動作と、第２空気を加熱器（102）で加熱後に吸着素子（81,82,150）の調湿用通路（85）へ導入して該吸着素子（81,82,150）から水分を脱離させる再生動作とを行い、
上記吸着素子（81,82,150）で除湿された第１空気、又は上記吸着素子（81,82,150）で加湿された第２空気を室内へ供給する調湿装置であって、
上記再生動作として、第２空気の全部が上記吸着動作の対象となっている吸着素子（81,82,150）の冷却用通路（86）を通過してから加熱器（102）へ導入される第１の再生動作と、第２空気の全部又は一部が上記吸着動作の対象となっている吸着素子（81,82,150）をバイパスしてから加熱器（102）へ導入される第２の再生動作とを選択的に行う調湿装置。
【請求項２】
請求項１に記載の調湿装置において、
第１の吸着素子（81）についての吸着動作と第２の吸着素子（82）についての再生動作とを同時に行う第１動作と、第２の吸着素子（82）についての吸着動作と第１の吸着素子（81）についての再生動作とを同時に行う第２動作とを交互に繰り返し行う調湿装置。
【請求項３】
請求項１又は２に記載の調湿装置において、
吸着素子（81,82,150）の上流における第１空気の温度を検出する第１検出手段と、
加熱器（102）および吸着素子（81,82,150）の上流における第２空気の温度を検出する第２検出手段とを備え、
上記第１検出手段および上記第２検出手段の検出値に基づいて第１の再生動作を選択するか第２の再生動作を選択するかを決定する調湿装置。
【請求項４】
請求項１又は２に記載の調湿装置において、
吸着素子（81,82,150）の上流における第１空気の温度および湿度を検出する第１検出手段と、
加熱器（102）および吸着素子（81,82,150）の上流における第２空気の温度を検出する第２検出手段とを備え、
上記第１検出手段および上記第２検出手段の検出値に基づいて第１の再生動作を選択するか第２の再生動作を選択するかを決定する調湿装置。
【発明の詳細な説明】
【技術分野】
【０００１】
本発明は、室内の湿度調節を行う調湿装置に関するものである。
【背景技術】
【０００２】
従来より、特許文献１に開示されているように、吸着剤を用いて室内の湿度調節を行う調湿装置が知られている。この調湿装置は、第１空気と第２空気の流通経路を切り換えることにより、２つの吸着素子を交互に用いて室内へ供給する空気の除湿又は加湿を行うものである。これら吸着素子には、調湿側通路と冷却側通路とが設けられている。
【０００３】
例えば、加湿動作時において、ケーシング内に取り込まれた第１空気は、一方の吸着素子の調湿側通路を流れる間に、その水分が吸着剤に吸着される。水分を奪われた第１空気は、冷却熱交換器を通過する間に冷却され、室外へ排出される。一方、ケーシング内に取り込まれた第２空気は、一方の吸着素子の冷却側通路を流れる間に調湿側通路で生じた吸着熱を吸熱し、その後に再生熱交換器で加熱される。続いて、第２空気は、他方の吸着素子の調湿側通路へ導入され、吸着剤から脱離した水分を付与されて加湿された後、室内へ供給される。
【特許文献１】特開２００３−１３９３４９号公報
【発明の開示】
【発明が解決しようとする課題】
【０００４】
上述のように、上記調湿装置では、吸着側の吸着素子の調湿側通路で生じる吸着熱を冷却側通路を流れる第２空気に吸熱させている。この動作は、吸着素子の温度上昇を低減して吸着素子が吸着する水分量を増大させるために行われる。
【０００５】
ところが、調湿装置の運転条件によっては、吸着側の吸着素子の温度がこの吸着素子の冷却側通路へ導入される第２空気の温度よりも低くなる場合もある。このような場合に第２空気を吸着素子へ導入すると、この吸着素子が第２空気によって加熱されてしまう。そして、吸着側の吸着素子が加熱されると第１空気も加熱されることになり、むしろ吸着素子に吸着される水分量が減少してしまう。
【０００６】
また、この場合には、吸着側の吸着素子を通過する間に第２空気の温度が低下してしまう。このため、再生熱交換器で加熱されて再生側の吸着素子へ導入される第２空気の温度が低下し、吸着素子から脱離する水分の減少を招いてしまう。
【０００７】
このように、上記調湿装置の運転条件によっては、吸着側の吸着素子の冷却側通路へ第２空気を導入すると、むしろ調湿能力の低下を招く問題があった。
【０００８】
本発明は、かかる点に鑑みてなされたものであり、その目的とするところは、空気の湿度調節を行う調湿装置において、運転条件に拘らずその能力を最大限に発揮させることにある。
【課題を解決するための手段】
【０００９】
第１の発明は、流通する空気を吸着剤と接触させるための調湿用通路（85）と流通する空気を該調湿用通路（85）の空気と熱交換させるための冷却用通路（86）とが形成された吸着素子（81,82,150）と、上記吸着素子（81,82,150）へ向かう空気を加熱するための加熱器（102）とを備え、第１空気を吸着素子（81,82,150）の調湿用通路（85）へ導入して第１空気中の水分を該吸着素子（81,82,150）へ吸着させる吸着動作と、第２空気を加熱器（102）で加熱後に吸着素子（81,82,150）の調湿用通路（85）へ導入して該吸着素子（81,82,150）から水分を脱離させる再生動作とを行い、上記吸着素子（81,82,150）で除湿された第１空気、又は上記吸着素子（81,82,150）で加湿された第２空気を室内へ供給する調湿装置を対象としている。
【００１０】
そして、上記再生動作として、第２空気の全部が上記吸着動作の対象となっている吸着素子（81,82,150）の冷却用通路（86）を通過してから加熱器（102）へ導入される第１の再生動作と、第２空気の全部又は一部が上記吸着動作の対象となっている吸着素子（81,82,150）をバイパスしてから加熱器（102）へ導入される第２の再生動作とを選択的に行うものである。
【００１１】
第２の発明は、第１の発明において、第１の吸着素子（81）についての吸着動作と第２の吸着素子（82）についての再生動作とを同時に行う第１動作と、第２の吸着素子（82）についての吸着動作と第１の吸着素子（81）についての再生動作とを同時に行う第２動作とを交互に繰り返し行うものである。
【００１２】
第３の発明は、第１又は第２の発明において、吸着素子（81,82,150）の上流における第１空気の温度を検出する第１検出手段と、加熱器（102）および吸着素子（81,82,150）の上流における第２空気の温度を検出する第２検出手段とを備え、上記第１検出手段および上記第２検出手段の検出値に基づいて第１の再生動作を選択するか第２の再生動作を選択するかを決定するものである。
【００１３】
第４の発明は、第１又は第２の発明において、吸着素子（81,82,150）の上流における第１空気の温度および湿度を検出する第１検出手段と、加熱器（102）および吸着素子（81,82,150）の上流における第２空気の温度を検出する第２検出手段とを備え、上記第１検出手段および上記第２検出手段の検出値に基づいて第１の再生動作を選択するか第２の再生動作を選択するかを決定するものである。
【００１４】
−作用−
上記第１の発明では、調湿装置に吸着素子（81,82,150）と加熱器（102）とが設けられる。調湿装置の吸着動作では、吸着素子（81,82,150）の調湿用通路（85）へ導入された第１空気中の水分が吸着素子（81,82,150）に吸着される。一方、調湿装置の再生動作では、加熱器（102）で加熱された第２空気が吸着素子（81,82,150）の調湿用通路（85）へ導入され、吸着素子（81,82,150）から脱離した水分が第２空気へ付与される。そして、除湿された第１空気、又は加湿された第２空気が室内へ供給される。
【００１５】
この発明において、調湿装置は、再生動作として第１の再生動作と第２の再生動作とを選択的に行う。第１の再生動作において、第２空気は、その全部が吸着動作の対象となっている吸着素子（81,82,150）の冷却用通路（86）へ導入される。この吸着素子（81,82,150）では、冷却用通路（86）を流れる第２空気と調湿用通路（85）を流れる第１空気との間で熱交換が行われる。吸着動作の対象となっている吸着素子（81,82,150）を通過した第２空気は、加熱器（102）で加熱された後に再生動作の対象となっている吸着素子（81,82,150）の調湿用通路（85）へ導入される。
【００１６】
一方、第２の再生動作において、第２空気は、その一部又は全部が吸着動作の対象となっている吸着素子（81,82,150）をバイパスして加熱器（102）へ導入される。つまり、吸着動作の対象となっている吸着素子（81,82,150）では、冷却用通路（86）における第２空気の流量が減少し、或いはゼロになる。加熱器（102）で加熱された第２空気は、再生動作の対象となっている吸着素子（81,82,150）の調湿用通路（85）へ導入される。
【００１７】
上記第２の発明では、調湿装置が第１動作と第２動作を交互に繰り返し行う。第１動作では、第１の吸着素子（81）に第１空気中の水分が吸着され、第２の吸着素子（82）から脱離した水分が第２空気に付与される。第２動作では、第１の吸着素子（81）から脱離した水分が第２空気に付与され、第２の吸着素子（82）に第１空気中の水分が吸着される。
【００１８】
上記第３の発明では、調湿装置に第１検出手段と第２検出手段とが設けられる。第１検出手段は、吸着素子（81,82,150）の調湿用通路（85）を未だ通過していない第１空気の温度を検出する。第２検出手段は、第１の再生動作において、吸着素子（81,82,150）の冷却用通路（86）を未だ通過していない第２空気の温度を検出する。また、第２検出手段は、第２の再生動作において、吸着素子（81,82,150）の冷却用通路（86）および加熱器（102）の何れも未だ通過していない第２空気の温度を検出する。そして、調湿装置は、上記第１検出手段および上記第２検出手段の検出値に基づいて第１の再生動作と第２の再生動作の何れか一方を選択する。
【００１９】
上記第４の発明では、調湿装置に第１検出手段と第２検出手段とが設けられる。第１検出手段は、吸着素子（81,82,150）の調湿用通路（85）を未だ通過していない第１空気の温度および湿度を検出する。第２検出手段は、第１の再生動作において、吸着素子（81,82,150）の冷却用通路（86）を未だ通過していない第２空気の温度を検出する。また、第２検出手段は、第２の再生動作において、吸着素子（81,82,150）の冷却用通路（86）および加熱器（102）の何れも未だ通過していない第２空気の温度を検出する。そして、調湿装置は、上記第１検出手段および上記第２検出手段の検出値に基づいて第１の再生動作と第２の再生動作の何れか一方を選択する。
【発明の効果】
【００２０】
本発明では、第１の再生動作と第２の再生動作とが選択的に行われる。例えば、吸着動作の対象となっている吸着素子（81,82,150）の温度がこの吸着素子（81,82,150）へ導入される第２空気の温度よりも高くなる場合に第１の再生動作を行い、第２空気をこの吸着素子（81,82,150）の冷却用通路（86）へ導入すると、調湿用通路（85）で生じる吸着熱を第２空気へ吸熱させることができる。この結果、吸着動作の対象となっている吸着素子（81,82,150）および第１空気の温度上昇を低減して第１空気中の水分の吸着量を増大させることができる。また、吸着動作の対象となっている吸着素子（81,82,150）で第２空気を加熱でき、加熱器（102）から吸着素子（81,82,150）へ送られる第２空気の温度を上昇させることができる。この結果、再生動作の対象となっている吸着素子（81,82,150）から脱離する水分量を増大させることができる。
【００２１】
一方、吸着動作の対象となっている吸着素子（81,82,150）の温度がこの吸着素子（81,82,150）へ導入される第２空気の温度よりも低くなる場合に第２の再生動作を行い、第２空気の一部又は全部をこの吸着素子（81,82,150）をバイパスさせると、第２空気による吸着素子（81,82,150）や第１空気の加熱を防止でき、第１空気中の水分の吸着量を確保できる。また、第２空気から吸着動作の対象となっている吸着素子（81,82,150）への放熱を防止でき、加熱器（102）から吸着素子（81,82,150）へ送られる第２空気の温度低下を防止できる。この結果、再生動作の対象となっている吸着素子（81,82,150）から脱離する水分量を確保できる。
【００２２】
従って、本発明によれば、空気の湿度調節を行う調湿装置において、第１の再生動作と第２の再生動作とを選択的に行うことにより、様々な運転条件においても吸着素子（81,82,150）への水分の吸着量を確保することができ、その能力を最大限に発揮させることができる。
【００２３】
上記第３および第４の発明では、第１の再生動作と第２の再生動作のうちどちらを行うかの選択を、第１検出手段および第２検出手段の検出値に基づいて行っている。ここで、第１検出手段の検出値は吸着素子（81,82,150）へ送られる第１空気の状態を示すものであり、この検出値を考慮すれば第１空気中の水分を吸着する吸着素子（81,82,150）の温度を推測できる。そして、第２検出手段の検出値として示される第２空気の状態を併せて考慮すれば、冷却用通路（86）へ第２空気を導入することによって吸着素子（81,82,150）を冷却できるか否かを判断できる。
【００２４】
従って、これらの発明によれば、第１検出手段および第２検出手段の検出値を考慮することにより、吸着素子（81,82,150）へ吸着される水分量を確保するために第１および第２の再生動作のどちらが有利か的確に判断することが可能となる。
【発明を実施するための最良の形態】
【００２５】
以下、本発明の実施形態を図面に基づいて詳細に説明する。
【００２６】
《発明の実施形態１》
本実施形態に係る調湿装置は、減湿された空気を室内へ供給する除湿運転と、加湿された空気を室内へ供給する加湿運転とを切り換えて行うように構成されている。また、この調湿装置は、冷媒回路と２つの吸着素子（81,82）とを備え、いわゆるバッチ式の動作を行うように構成されている。ここでは、本実施形態に係る調湿装置の構成について、図１を参照しながら説明する。尚、本実施形態１の説明において、「上」「下」「左」「右」「前」「後」「手前」「奥」は、特にことわらない限り、図１に示す調湿装置を正面側から見た場合のものを意味している。
【００２７】
図１に示すように、上記調湿装置は、高さの低い扁平な直方体状のケーシング（10）を備えている。ケーシング（10）には、２つの吸着素子（81,82）と冷媒回路とが収納されている。尚、図１において、（Ａ）は左側面図、（Ｂ）は平面図、（Ｃ）は右側面図を示す。この点は、図２〜１６においても同様である。
【００２８】
上記冷媒回路には、加熱器としての加熱用熱交換器（102）、第１熱源用熱交換器（103）、第２熱源用熱交換器（104）、圧縮機（101）および膨張弁が設けられている。尚、図１では、加熱用熱交換器（102）、第１熱源用熱交換器（103）、第２熱源用熱交換器（104）および圧縮機（101）だけを図示している。この冷媒回路では、充填された冷媒を循環させることによって冷凍サイクルが行われる。また、本実施形態の調湿装置では、第１熱源用熱交換器（103）が蒸発器となる動作と、第２熱源用熱交換器（104）が蒸発器となる動作とが切り換えて行われる。
【００２９】
図１７に示すように、上記吸着素子（81,82）は、平板状の平板部材（83）と波形状の波板部材（84）とを交互に積層して構成されている。波板部材（84）は、隣接する波板部材（84）の稜線方向が互いに９０度ずれる姿勢で積層されている。そして、吸着素子（81,82）は、全体として直方体状ないし四角柱状に形成されている。
【００３０】
上記吸着素子（81,82）には、平板部材（83）および波板部材（84）の積層方向において、調湿用通路（85）と冷却用通路（86）とが平板部材（83）を挟んで交互に区画形成されている。この吸着素子（81,82）において、平板部材（83）の長辺側の側面に調湿用通路（85）が開口し、平板部材（83）の短辺側の側面に冷却用通路（86）が開口している。
【００３１】
上記吸着素子（81,82）において、調湿用通路（85）に臨む平板部材（83）の表面や、調湿用通路（85）に設けられた波板部材（84）の表面には、水分を吸着するための吸着剤が塗布されている。この種の吸着剤としては、例えばシリカゲル、ゼオライト、イオン交換樹脂等が挙げられる。
【００３２】
図１に示すように、上記ケーシング（10）において、最も手前側には第１パネル（11）が設けられ、最も奥側には第２パネル（12）が設けられている。
【００３３】
第１パネル（11）には、その右寄りの中央部に排気口（14）が形成され、その左寄りの中央部に給気口（16）が形成されている。一方、第２パネル（12）には、その右端寄りの下部に室外側吸込口（13）が形成され、その左端寄りの下部に室内側吸込口（15）が形成されている。
【００３４】
ケーシング（10）の内部は、第１パネル（11）側に形成された下流側空間（91）と第２パネル（12）側に形成された上流側空間（92）とに区画されている。
【００３５】
下流側空間（91）は、左右に２つの空間に区画されている。右側の第１空間（41）は、排気口（14）を介して室外と連通しており、その内部に冷媒回路の圧縮機（101）と排気ファン（95）と第１熱源用熱交換器（103）とが設置されている。左側の第２空間（42）は、給気口（16）を介して室外と連通しており、その内部に給気ファン（96）と第２熱源用熱交換器（104）とが設置されている。
【００３６】
上流側空間（92）は、右側仕切板（20）と左側仕切板（30）とによって、左右に３つの空間に区画されている。
【００３７】
右側仕切板（20）の右側の空間は、上側の右上部流路（65）と下側の右下部流路（66）とに仕切られている。右上部流路（65）は、第１空間（41）と連通する。右下部流路（66）は、室外側吸込口（13）と連通する一方、第１空間（41）から仕切られている。
【００３８】
左側仕切板（30）の左側の空間は、上側の左上部流路（67）と下側の左下部流路（68）とに仕切られている。左上部流路（67）は、第２空間（42）と連通する。左下部流路（68）は、室内側吸込口（15）と連通する一方、第２空間（42）から仕切られている。
【００３９】
右側仕切板（20）と左側仕切板（30）の間の空間には、２つの吸着素子（81,82）が設置されている。これら吸着素子（81,82）は、所定の間隔をおいて前後に並んだ状態に配置されている。具体的には、手前側の第１パネル（11）寄りに第１吸着素子（81）が設けられ、奥側の第２パネル（12）寄りに第２吸着素子（82）が設けられている。
【００４０】
右側仕切板（20）と左側仕切板（30）の間の空間は、第１流路（51）、第２流路（52）、第１上部流路（53）、第１下部流路（54）、第２上部流路（55）、第２下部流路（56）および中央流路（57）に区画されている。
【００４１】
第１流路（51）は、第１吸着素子（81）の手前側に形成され、第１吸着素子（81）の冷却用通路（86）に連通している。第２流路（52）は、第２吸着素子（82）の奥側に形成され、第２吸着素子（82）の冷却用通路（86）に連通している。
【００４２】
第１上部流路（53）は、第１吸着素子（81）の上側に形成され、第１吸着素子（81）の調湿用通路（85）に連通している。第１下部流路（54）は、第１吸着素子（81）の下側に形成され、第１吸着素子（81）の調湿用通路（85）に連通している。第２上部流路（55）は、第２吸着素子（82）の上側に形成され、第２吸着素子（82）の調湿用通路（85）に連通している。第２下部流路（56）は、第２吸着素子（82）の下側に形成され、第２吸着素子（82）の調湿用通路（85）に連通している。
【００４３】
中央流路（57）は、第１吸着素子（81）と第２吸着素子（82）の間に形成され、両吸着素子（81,82）の冷却用通路（86）に連通している。この中央流路（57）には、加熱用熱交換器（102）がほぼ水平に寝かせられた状態で設置されている。この加熱用熱交換器（102）は、中央流路（57）を流れる空気を冷媒回路の冷媒と熱交換させる。そして、加熱用熱交換器（102）は、凝縮器として機能し、空気を加熱するための加熱器を構成している。
【００４４】
中央流路（57）と第１下部流路（54）の間の仕切りには、第１シャッタ（61）が設けられている。一方、中央流路（57）と第２下部流路（56）の間の仕切りには、第２シャッタ（62）が設けられている。第１シャッタ（61）と第２シャッタ（62）とは、何れもが開閉自在に構成されている。
【００４５】
右側仕切板（20）には、第１右側開口（21）、第２右側開口（22）、第１右上開口（23）、第１右下開口（24）、第２右上開口（25）、第２右下開口（26）および第３右上開口（27）が形成されている。これらの開口（21,22,…）は、それぞれが開閉シャッタを備えている。
【００４６】
第１右側開口（21）は、右側仕切板（20）における手前側の下部に設けられ、第１流路（51）と右下部流路（66）を連通させる。第２右側開口（22）は、右側仕切板（20）における奥側の下部に設けられ、第２流路（52）と右下部流路（66）を連通させる。
【００４７】
第１右上開口（23）は、右側仕切板（20）のうち第１吸着素子（81）に隣接する部分の上部に設けられ、第１上部流路（53）と右上部流路（65）を連通させる。第１右下開口（24）は、右側仕切板（20）のうち第１吸着素子（81）に隣接する部分の下部に設けられ、第１下部流路（54）と右下部流路（66）を連通させる。
【００４８】
第２右上開口（25）は、右側仕切板（20）のうち第２吸着素子（82）に隣接する部分の上部に設けられ、第２上部流路（55）と右上部流路（65）を連通させる。第２右下開口（26）は、右側仕切板（20）のうち第２吸着素子（82）に隣接する部分の下部に設けられ、第２下部流路（56）と右下部流路（66）を連通させる。
【００４９】
第３右上開口（27）は、第１右上開口（23）と第２右上開口（25）の間に形成され、右側仕切板（20）における加熱用熱交換器（102）が隣接する部分の上方に位置している。上記第３右上開口（27）の周囲には、中央流路（57）に繋がる右側空気導入路（69）を右側仕切板（20）との間に区画する右側仕切壁（29）が設けられている。この右側仕切壁（29）の内部の右側空気導入路（69）は、右上部流路（65）とは隔てられる一方、右下部流路（66）と連通している。
【００５０】
左側仕切板（30）には、第１左側開口（31）、第２左側開口（32）、第１左上開口（33）、第１左下開口（34）、第２左上開口（35）、第２左下開口（36）および第３左上開口（37）が形成されている。これらの開口（31,32,…）は、それぞれが開閉シャッタを備えている。
【００５１】
第１左側開口（31）は、左側仕切板（30）における手前側の下部に設けられ、第１流路（51）と左下部流路（68）を連通させる。第２左側開口（32）は、左側仕切板（30）における奥側の下部に設けられ、第２流路（52）と左下部流路（68）を連通させる。
【００５２】
第１左上開口（33）は、左側仕切板（30）のうち第１吸着素子（81）に隣接する部分の上部に設けられ、第１上部流路（53）と左上部流路（67）を連通させる。第１左下開口（34）は、左側仕切板（30）のうち第１吸着素子（81）に隣接する部分の下部に設けられ、第１下部流路（54）と左下部流路（68）を連通させる。
【００５３】
第２左上開口（35）は、左側仕切板（30）のうち第２吸着素子（82）に隣接する部分の上部に設けられ、第２上部流路（55）と左上部流路（67）を連通さする。第２左下開口（36）は、左側仕切板（30）のうち第２吸着素子（82）に隣接する部分の下部に設けられ、第２下部流路（56）と左下部流路（68）を連通させる。
【００５４】
第３左上開口（37）は、第１左上開口（33）と第２左上開口（35）の間に形成され、左側仕切板（30）における加熱用熱交換器（102）が隣接する部分の上方に位置している。上記第３左上開口（37）の周囲には、中央流路（57）に繋がる左側空気導入路（70）を左側仕切板（30）との間に区画する左側仕切壁（39）が設けられている。この左側仕切壁（39）の内部の左側空気導入路（70）は、左上部流路（67）とは隔てられる一方、左下部流路（68）と連通している。
【００５５】
上記調湿装置は、循環加湿運転と循環除湿運転と換気加湿運転と換気除湿運転とを切り換えて行うように構成されている。具体的に、上記調湿装置は、室外空気（OA）を室外へ排出すると共に室内空気（RA）を加湿後に室内へ供給する循環加湿運転と、室外空気（OA）を室外へ排出すると共に室内空気（RA）を除湿後に室内へ供給する循環除湿運転と、室内空気（RA）を室外へ排出すると共に室外空気（OA）を加湿後に室内へ供給する換気加湿運転と、室内空気（RA）を室外へ排出すると共に室外空気（OA）を除湿後に室内へ供給する換気除湿運転とを切り換えて行うように構成されている。
【００５６】
上記調湿装置には、内気温度センサ（1）と外気温度センサ（2）とが設けられている。内気温度センサ（1）は、室内空気（RA）の温度を検出するためのものであって、ケーシング（10）における室内側吸込口（15）の近傍に設けられている。外気温度センサ（2）は、室外空気（OA）の温度を検出するためのものであって、ケーシング（10）における室外側吸込口（13）の近傍に設けられている。
【００５７】
循環除湿運転時および換気加湿運転時には、内気温度センサ（1）が第１空気として取り込まれる室内空気（RA）の温度を検出する第１検出手段を構成し、外気温度センサ（2）が第２空気として取り込まれる室外空気（OA）の温度を検出する第２検出手段を構成する。一方、循環加湿運転時および換気除湿運転時には、外気温度センサ（2）が第１空気として取り込まれる室外空気（OA）の温度を検出する第１検出手段を構成し、内気温度センサ（1）が第２空気として取り込まれる室内空気（RA）の温度を検出する第２検出手段を構成する。
【００５８】
そして、上記調湿装置は、上記４つの運転のそれぞれに関し、再生側となる吸着素子（81,82）の再生動作時に第１再生動作と第２再生動作とを選択的に行うように構成されている。この第１再生動作と第２再生動作との切り換えは、内気温度センサ（1）および外気温度センサ（2）の検出値に基づいて行われる。尚、上記第１再生動作および上記第２再生動作についての説明と、第１再生動作と第２再生動作との切り換えのタイミングとについては、後で詳細に説明する。
【００５９】
−運転動作−
上記調湿装置の運転動作について説明する。この調湿装置は、循環加湿運転と循環除湿運転と換気加湿運転と換気除湿運転とを切り換えて行う。この調湿装置では、上記４つの運転のそれぞれにおいて、第１動作と第２動作とが交互に繰り返し行われる。第１動作では、第１吸着素子（81）についての吸着動作が行われ、第２吸着素子（82）についての第１再生動作と第２再生動作とが選択的に行われる。第２動作では、第２吸着素子（82）についての吸着動作が行われ、第１吸着素子（81）についての第１再生動作と第２再生動作とが選択的に行われる。
【００６０】
〈循環加湿運転〉
調湿装置は、循環加湿運転において、室外空気（OA）を室外へ排出すると共に室内空気（RA）を加湿した後に室内へ供給する。循環加湿運転において、冷媒回路では、加熱用熱交換器（102）が凝縮器となり、第１熱源用熱交換器（103）が蒸発器となる一方、第２熱源用熱交換器（104）が休止している。
【００６１】
図１〜４に示すように、排気ファン（95）を駆動すると、室外空気（OA）が室外側吸込口（13）を通じて右下部流路（66）へ第１空気として取り込まれる。一方、給気ファン（96）を駆動すると、室内空気（RA）が室内側吸込口（15）を通じて左下部流路（68）へ第２空気として取り込まれる。
【００６２】
（第１動作）
循環加湿運転の第１動作について、図１および図２を参照しながら説明する。
【００６３】
第１吸着素子（81）についての吸着動作と第２吸着素子（82）についての第１再生動作とを行う場合において、図１に示すように、右側仕切板（20）では、第１右上開口（23）と第１右下開口（24）とが連通状態となり、残りの開口（21,22,25,26,27）が遮断状態となっている。左側仕切板（30）では、第１左側開口（31）と第２左上開口（35）とが連通状態となり、残りの開口（32,33,34,36,37）が遮断状態となっている。第１シャッタ（61）は閉鎖状態となり、第２シャッタ（62）は開口状態となっている。
【００６４】
第１空気は、右下部流路（66）から第１右下開口（24）を通って第１下部流路（54）へ流入する。一方、第２空気は、左下部流路（68）から第１左側開口（31）を通って第１流路（51）へ流入する。
【００６５】
図１８にも示すように、第１下部流路（54）の第１空気は、第１吸着素子（81）の調湿用通路（85）を流れる間に水分を奪われ、その後に第１上部流路（53）へ流入する。続いて、第１空気は、第１右上開口（23）を通って右上部流路（65）へ流入し、その後に第１空間（41）へ流入する。そして、第１空気は、第１熱源用熱交換器（103）で冷媒と熱交換し、その後に排気口（14）を通って室外へ排出される。
【００６６】
一方、第１流路（51）の第２空気は、第１吸着素子（81）の冷却用通路（86）を通過する間に吸着熱を吸熱し、その後中央流路（57）へ流入して加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与されて加湿され、その後に第２上部流路（55）へ流入する。そして、第２空気は、第２左上開口（35）を通って左上部流路（67）へ流入し、その後に第２空間（42）を通って給気口（16）から室内へ供給される。
【００６７】
次に、第１吸着素子（81）についての吸着動作と第２吸着素子（82）についての第２再生動作とを行う場合において、図２に示すように、右側仕切板（20）では、第１右上開口（23）と第１右下開口（24）とが連通状態となり、残りの開口（21,22,25,26,27）が遮断状態となっている。左側仕切板（30）では、第２左上開口（35）と第３左上開口（37）とが連通状態となり、残りの開口（31,32,33,34,36）が遮断状態となっている。第１シャッタ（61）は閉鎖状態となり、第２シャッタ（62）は開口状態となっている。
【００６８】
第２空気は、左下部流路（68）から左側空気導入路（70）へと流れ、第３左上開口（37）を通って中央流路（57）へ流入する。
【００６９】
図１９にも示すように、中央流路（57）の第２空気は、加熱用熱交換器（102）を通過する間に加熱され、その後に第２下部流路（56）へ流入する。続いて、第２空気は、第２吸着素子（82）の調湿用通路（85）へ導入される。この調湿用通路（85）では、第２空気によって吸着剤が加熱され、吸着剤から水分が脱離する。第２吸着素子（82）で加湿された第２空気は、第２上部流路（55）へ流入する。そして、第２空気は、第２左上開口（35）を通って左上部流路（67）へ流入し、その後に第２空間（42）を通って給気口（16）から室内へ供給される。
【００７０】
尚、第２吸着素子（82）についての第２再生動作を行う場合における第１空気の流れは、上記第１再生動作と同じであるため、説明を省略する。
【００７１】
（第２動作）
循環加湿運転の第２動作について、図３および図４を参照しながら説明する。
【００７２】
まず、第２吸着素子（82）についての吸着動作と第１吸着素子（81）についての第１再生動作とを行う場合において、図３に示すように、右側仕切板（20）では、第２右上開口（25）と第２右下開口（26）とが連通状態となり、残りの開口（21,22,23,24,27）が遮断状態となっている。左側仕切板（30）では、第２左側開口（32）と第１左上開口（33）とが連通状態となり、残りの開口（31,34,35,36,37）が遮断状態となっている。第１シャッタ（61）は開口状態となり、第２シャッタ（62）は閉鎖状態となっている。
【００７３】
第１空気は、右下部流路（66）から第２右下開口（26）を通って第２下部流路（56）へ流入する。一方、第２空気は、左下部流路（68）から第２左側開口（32）を通って第２流路（52）へ流入する。
【００７４】
図２０にも示すように、第２下部流路（56）の第１空気は、第２吸着素子（82）の調湿用通路（85）を流れる間に水分を奪われ、その後に第２上部流路（55）へ流入する。続いて、第１空気は、第２右上開口（25）を通って右上部流路（65）へ流入し、その後に第１空間（41）へ流入する。そして、第１空気は、第１熱源用熱交換器（103）で冷媒と熱交換し、その後に排気口（14）を通って室外へ排出される。
【００７５】
一方、第２流路（52）の第２空気は、第２吸着素子（82）の冷却用通路（86）を通過する間に吸着熱を吸熱し、その後中央流路（57）へ流入して加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与されて加湿され、その後に第１上部流路（53）へ流入する。そして、第２空気は、第１左上開口（33）を通って左上部流路（67）へ流入し、その後に第２空間（42）を通って給気口（16）から室内へ供給される。
【００７６】
次に、第２吸着素子（82）についての吸着動作と第１吸着素子（81）についての第２再生動作とを行う場合において、図４に示すように、右側仕切板（20）では、第２右上開口（25）と第２右下開口（26）とが連通状態となり、残りの開口（21,22,23,24,27）が遮断状態となっている。左側仕切板（30）では、第１左上開口（33）と第３左上開口（37）とが連通状態となり、残りの開口（31,32,34,35,36）が遮断状態となっている。第１シャッタ（61）は開口状態となり、第２シャッタ（62）は閉鎖状態となっている。
【００７７】
第２空気は、左下部流路（68）から左側空気導入路（70）へと流れ、第３左上開口（37）を通って中央流路（57）へ流入する。
【００７８】
図２１にも示すように、中央流路（57）の第２空気は、加熱用熱交換器（102）を通過する間に加熱され、その後に第１下部流路（54）へ流入する。続いて、第２空気は、第１吸着素子（81）の調湿用通路（85）へ導入される。この調湿用通路（85）では、第２空気によって吸着剤が加熱され、吸着剤から水分が脱離する。第１吸着素子（81）で加湿された第２空気は、第１上部流路（53）へ流入する。そして、第２空気は、第１左上開口（33）を通って左上部流路（67）へ流入し、その後に第２空間（42）を通って給気口（16）から室内へ供給される。
【００７９】
尚、第１吸着素子（81）についての第２再生動作を行う場合における第１空気の流れは、上記第１再生動作と同じであるため、説明を省略する。
【００８０】
〈循環除湿運転〉
調湿装置は、循環除湿運転において、室外空気（OA）を室外へ排出すると共に室内空気（RA）を除湿した後に室内へ供給する。循環除湿運転において、冷媒回路では、加熱用熱交換器（102）が凝縮器となり、第２熱源用熱交換器（104）が蒸発器となる一方、第１熱源用熱交換器（103）が休止している。
【００８１】
図５〜８に示すように、排気ファン（95）を駆動すると、室外空気（OA）が室外側吸込口（13）を通じて右下部流路（66）へ第２空気として取り込まれる。一方、給気ファン（96）を駆動すると、室内空気（RA）が室内側吸込口（15）を通じて左下部流路（68）へ第１空気として取り込まれる。
【００８２】
（第１動作）
循環除湿運転の第１動作について、図５および図６を参照しながら説明する。
【００８３】
まず、第１吸着素子（81）についての吸着動作と第２吸着素子（82）についての第１再生動作とを行う場合において、図５に示すように、右側仕切板（20）では、第１右側開口（21）と第２右上開口（25）とが連通状態となり、残りの開口（22,23,24,26,27）が遮断状態となっている。左側仕切板（30）では、第１左上開口（33）と第１左下開口（34）とが連通状態となり、残りの開口（31,32,35,36,37）が遮断状態となっている。第１シャッタ（61）は閉鎖状態となり、第２シャッタ（62）は開口状態となっている。
【００８４】
第１空気は、左下部流路（68）から第１左下開口（34）を通って第１下部流路（54）へ流入する。一方、第２空気は、右下部流路（66）から第１右側開口（21）を通って第１流路（51）へ流入する。
【００８５】
図２２にも示すように、第１下部流路（54）の第１空気は、第１吸着素子（81）の調湿用通路（85）を流れる間に減湿され、その後に第１上部流路（53）へ流入する。続いて、第１空気は、第１左上開口（33）を通って左上部流路（67）へ流入し、その後に第２空間（42）へ流入する。そして、第１空気は、第２熱源用熱交換器（104）で冷媒と熱交換して冷却され、その後に給気口（16）を通って室内へ供給される。
【００８６】
一方、第１流路（51）の第２空気は、第１吸着素子（81）の冷却用通路（86）を通過する間に吸着熱を吸熱し、その後中央流路（57）へ流入して加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与され、その後に第２上部流路（55）へ流入する。そして、第２空気は、第２右上開口（25）を通って右上部流路（65）へ流入し、その後に第１空間（41）を通って排気口（14）から室外へ排出される。
【００８７】
次に、第１吸着素子（81）についての吸着動作と第２吸着素子（82）についての第２再生動作とを行う場合において、図６に示すように、右側仕切板（20）では、第２右上開口（25）と第３右上開口（27）とが連通状態となり、残りの開口（21,22,23,24,26）が遮断状態となっている。左側仕切板（30）では、第１左上開口（33）と第１左下開口（34）が連通状態となり、残りの開口（31,32,35,36,37）が遮断状態となっている。第１シャッタ（61）は閉鎖状態となり、第２シャッタ（62）は開口状態となっている。
【００８８】
第２空気は、右下部流路（66）から右側空気導入路（69）へと流れ、第３右上開口（27）を通って中央流路（57）へ流入する。
【００８９】
図２３にも示すように、中央流路（57）の第２空気は、加熱用熱交換器（102）を通過する間に加熱され、その後に第２下部流路（56）へ流入する。続いて、第２空気は、第２吸着素子（82）の調湿用通路（85）へ導入され、吸着剤から脱離した水分を付与され、その後に第２上部流路（55）へ流入する。そして、第２空気は、第２右上開口（25）を通って右上部流路（65）へ流入し、その後に第１空間（41）を通って排気口（14）から室外へ排出される。
【００９０】
尚、第２吸着素子（82）についての第２再生動作を行う場合における第１空気の流れは、上記第１再生動作と同じであるため、説明を省略する。
【００９１】
（第２動作）
循環除湿運転の第２動作について、図７および図８を参照しながら説明する。
【００９２】
まず、第２吸着素子（82）についての吸着動作と第１吸着素子（81）についての第１再生動作とを行う場合において、図７に示すように、右側仕切板（20）では、第２右側開口（22）と第１右上開口（23）とが連通状態となり、残りの開口（21,24,25,26,27）が遮断状態となっている。左側仕切板（30）では、第２左上開口（35）と第２左下開口（36）とが連通状態となり、残りの開口（31,32,33,34,37）が遮断状態となっている。第１シャッタ（61）は開口状態となり、第２シャッタ（62）は閉鎖状態となっている。
【００９３】
第１空気は、左下部流路（68）から第２左下開口（36）を通って第２下部流路（56）へ流入する。一方、第２空気は、右下部流路（66）から第２右側開口（22）を通って第２流路（52）へ流入する。
【００９４】
図２４にも示すように、第２下部流路（56）の第１空気は、第２吸着素子（82）の調湿用通路（85）を流れる間に減湿され、その後に第２上部流路（55）へ流入する。続いて、第１空気は、第２左上開口（35）を通って左上部流路（67）へ流入し、その後に第２空間（42）へ流入する。そして、第１空気は、第２熱源用熱交換器（104）で冷媒と熱交換して冷却され、その後に給気口（16）を通って室内へ供給される。
【００９５】
一方、第２流路（52）の第２空気は、第２吸着素子（82）の冷却用通路（86）を通過する間に吸着熱を吸熱し、その後中央流路（57）へ流入して加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与され、その後に第１上部流路（53）へ流入する。そして、第２空気は、第１右上開口（23）を通って右上部流路（65）へ流入し、その後に第１空間（41）を通って排気口（14）から室外へ排出される。
【００９６】
次に、第２吸着素子（82）についての吸着動作と第１吸着素子（81）についての第２再生動作とを行う場合において、図８に示すように、右側仕切板（20）では、第１右上開口（23）と第３右上開口（27）とが連通状態となり、残りの開口（21,22,24,25,26）が遮断状態となっている。左側仕切板（30）では、第２左上開口（35）と第２左下開口（36）とが連通状態となり、残りの開口（31,32,33,34,37）が遮断状態となっている。第１シャッタ（61）は開口状態となり、第２シャッタ（62）は閉鎖状態となっている。
【００９７】
第２空気は、右下部流路（66）から右側空気導入路（69）へと流れ、第３右上開口（27）を通って中央流路（57）へ流入する。
【００９８】
図２５にも示すように、中央流路（57）の第２空気は、加熱用熱交換器（102）を通過する間に加熱され、その後に第１下部流路（54）へ流入する。続いて、第２空気は、第１吸着素子（81）の調湿用通路（85）へ導入され、吸着剤から脱離した水分を付与され、その後に第１上部流路（53）へ流入する。そして、第２空気は、第１右上開口（23）を通って右上部流路（65）へ流入し、その後に第１空間（41）を通って排気口（14）から室外へ排出される。
【００９９】
尚、第１吸着素子（81）についての第２再生動作を行う場合における第１空気の流れは、上記第１再生動作と同じであるため、説明を省略する。
【０１００】
〈換気加湿運転〉
調湿装置は、換気加湿運転において、室内空気（RA）を室外へ排出すると共に室外空気（OA）を加湿した後に室内へ供給する。換気加湿運転において、冷媒回路では、加熱用熱交換器（102）が凝縮器となり、第１熱源用熱交換器（103）が蒸発器となる一方、第２熱源用熱交換器（104）が休止している。
【０１０１】
図９〜１２に示すように、給気ファン（96）を駆動すると、室外空気（OA）が室外側吸込口（13）を通じて右下部流路（66）へ第２空気として取り込まれる。一方、排気ファン（95）を駆動すると、室内空気（RA）が室内側吸込口（15）を通じて左下部流路（68）へ第１空気として取り込まれる。
【０１０２】
（第１動作）
換気加湿運転の第１動作について、図９および図１０を参照しながら説明する。
【０１０３】
まず、第１吸着素子（81）についての吸着動作と第２吸着素子（82）についての第１再生動作とを行う場合において、図９に示すように、右側仕切板（20）では、第１右側開口（21）と第１右上開口（23）とが連通状態となり、残りの開口（22,24,25,26,27）が遮断状態となっている。左側仕切板（30）では、第１左下開口（34）と第２左上開口（35）とが連通状態となり、残りの開口（31,32,33,36,37）が遮断状態となっている。第１シャッタ（61）は閉鎖状態となり、第２シャッタ（62）は開口状態となっている。
【０１０４】
第１空気は、左下部流路（68）から第１左下開口（34）を通って第１下部流路（54）へ流入する。一方、第２空気は、右下部流路（66）から第１右側開口（21）を通って第１流路（51）へ流入する。
【０１０５】
図１８にも示すように、第１下部流路（54）の第１空気は、第１吸着素子（81）の調湿用通路（85）を流れる間に水分を奪われ、その後に第１上部流路（53）へ流入する。続いて、第１空気は、第１右上開口（23）を通って右上部流路（65）へ流入し、その後に第１空間（41）へ流入する。そして、第１空気は、第１熱源用熱交換器（103）で冷媒と熱交換し、その後に排気口（14）を通って室外へ排出される。
【０１０６】
一方、第１流路（51）の第２空気は、第１吸着素子（81）の冷却用通路（86）を通過する間に吸着熱を吸熱し、その後中央流路（57）へ流入して加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与されて加湿され、その後に第２上部流路（55）へ流入する。そして、第２空気は、第２左上開口（35）を通って左上部流路（67）へ流入し、その後に第２空間（42）を通って給気口（16）から室内へ供給される。
【０１０７】
次に、第１吸着素子（81）についての吸着動作と第２吸着素子（82）についての第２再生動作とを行う場合において、図１０に示すように、右側仕切板（20）では、第１右上開口（23）と第３右上開口（27）とが連通状態となり、残りの開口（21,22,24,25,26）が遮断状態となっている。左側仕切板（30）では、第１左下開口（34）と第２左上開口（35）とが連通状態となり、残りの開口（31,32,33,36,37）が遮断状態となっている。第１シャッタ（61）は閉鎖状態となり、第２シャッタ（62）は開口状態となっている。
【０１０８】
第２空気は、右下部流路（66）から右側空気導入路（69）へと流れ、第３右上開口（27）を通って中央流路（57）へ流入する。
【０１０９】
図１９にも示すように、中央流路（57）の第２空気は、加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与されて加湿され、その後に第２上部流路（55）へ流入する。そして、第２空気は、第２左上開口（35）を通って左上部流路（67）へ流入し、その後に第２空間（42）を通って給気口（16）から室内へ供給される。
【０１１０】
尚、第２吸着素子（82）についての第２再生動作を行う場合における第１空気の流れは、上記第１再生動作と同じであるため、説明を省略する。
【０１１１】
（第２動作）
換気加湿運転の第２動作について、図１１および図１２を参照しながら説明する。
【０１１２】
まず、第２吸着素子（82）についての吸着動作と第１吸着素子（81）についての第１再生動作とを行う場合において、図１１に示すように、右側仕切板（20）では、第２右側開口（22）と第２右上開口（25）とが連通状態となり、残りの開口（21,23,24,26,27）が遮断状態となっている。左側仕切板（30）では、第１左上開口（33）と第２左下開口（36）とが連通状態となり、残りの開口（31,32,34,35,37）が遮断状態となっている。第１シャッタ（61）は開口状態となり、第２シャッタ（62）は閉鎖状態となっている。
【０１１３】
第１空気は、左下部流路（68）から第２左下開口（36）を通って第２下部流路（56）へ流入する。一方、第２空気は、右下部流路（66）から第２右側開口（22）を通って第２流路（52）へ流入する。
【０１１４】
図２０にも示すように、第２下部流路（56）の第１空気は、第２吸着素子（82）の調湿用通路（85）を流れる間に水分を奪われ、その後に第２上部流路（55）へ流入する。続いて、第１空気は、第２右上開口（25）を通って右上部流路（65）へ流入し、その後に第１空間（41）へ流入する。そして、第１空気は、第１熱源用熱交換器（103）で冷媒と熱交換し、その後に排気口（14）を通って室外へ排出される。
【０１１５】
一方、第２流路（52）の第２空気は、第２吸着素子（82）の冷却用通路（86）を通過する間に吸着熱を吸熱し、その後中央流路（57）へ流入して加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与されて加湿され、その後に第１上部流路（53）へ流入する。そして、第２空気は、第１左上開口（33）を通って左上部流路（67）へ流入し、その後に第２空間（42）を通って給気口（16）から室内へ供給される。
【０１１６】
次に、第２吸着素子（82）についての吸着動作と第１吸着素子（81）についての第２再生動作とを行う場合において、図１２に示すように、右側仕切板（20）では、第２右上開口（25）と第３右上開口（27）とが連通状態となり、残りの開口（21,22,23,24,26）が遮断状態となっている。左側仕切板（30）では、第１左上開口（33）と第２左下開口（36）とが連通状態となり、残りの開口（31,32,34,35,37）が遮断状態となっている。第１シャッタ（61）は開口状態となり、第２シャッタ（62）は閉鎖状態となっている。
【０１１７】
第２空気は、右下部流路（66）から右側空気導入路（69）へと流れ、第３右上開口（27）を通って中央流路（57）へ流入する。
【０１１８】
図２１にも示すように、中央流路（57）の第２空気は、加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与されて加湿され、その後に第１上部流路（53）へ流入する。そして、第２空気は、第１左上開口（33）を通って左上部流路（67）へ流入し、その後に第２空間（42）を通って給気口（16）から室内へ供給される。
【０１１９】
尚、第１吸着素子（81）についての第２再生動作を行う場合における第１空気の流れは、上記第１再生動作と同じであるため、説明を省略する。
【０１２０】
〈換気除湿運転〉
調湿装置は、換気除湿運転において、室内空気（RA）を室外へ排出すると共に室外空気（OA）を除湿した後に室内へ供給する。換気加湿運転において、冷媒回路では、加熱用熱交換器（102）が凝縮器となり、第２熱源用熱交換器（104）が蒸発器となる一方、第１熱源用熱交換器（103）が休止している。
【０１２１】
図１３〜１６に示すように、給気ファン（96）を駆動すると、室外空気（OA）が室外側吸込口（13）を通じて右下部流路（66）へ第１空気として取り込まれる。一方、排気ファン（95）を駆動すると、室内空気（RA）が室内側吸込口（15）を通じて左下部流路（68）へ第２空気として取り込まれる。
【０１２２】
（第１動作）
換気除湿運転の第１動作について、図１３および図１４を参照しながら説明する。
【０１２３】
まず、第１吸着素子（81）についての吸着動作と第２吸着素子（82）についての第１再生動作とを行う場合において、図１３に示すように、右側仕切板（20）では、第１右下開口（24）と第２右上開口（25）とが連通状態となり、残りの開口（21,22,23,26,27）が遮断状態となっている。左側仕切板（30）では、第１左側開口（31）と第１左上開口（33）とが連通状態となり、残りの開口（32,34,35,36,37）が遮断状態となっている。第１シャッタ（61）は閉鎖状態となり、第２シャッタ（62）は開口状態となっている。
【０１２４】
第１空気は、右下部流路（66）から第１右下開口（24）を通って第１下部流路（54）へ流入する。一方、第２空気は、左下部流路（68）から第１左側開口（31）を通って第１流路（51）へ流入する。
【０１２５】
図２２にも示すように、第１下部流路（54）の第１空気は、第１吸着素子（81）の調湿用通路（85）を流れる間に減湿され、その後に第１上部流路（53）へ流入する。続いて、第１空気は、第１左上開口（33）を通って左上部流路（67）へ流入し、その後に第２空間（42）へ流入する。そして、第１空気は、第２熱源用熱交換器（104）で冷媒と熱交換して冷却され、その後に給気口（16）を通って室内へ供給される。
【０１２６】
一方、第１流路（51）の第２空気は、第１吸着素子（81）の冷却用通路（86）を通過する間に吸着熱を吸熱し、その後中央流路（57）へ流入して加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与され、その後に第２上部流路（55）へ流入する。そして、第２空気は、第２右上開口（25）を通って右上部流路（65）へ流入し、その後に第１空間（41）を通って排気口（14）から室外へ排出される。
【０１２７】
次に、第１吸着素子（81）についての吸着動作と第２吸着素子（82）についての第２再生動作とを行う場合において、図１４に示すように、右側仕切板（20）では、第１右下開口（24）と第２右上開口（25）とが連通状態となり、残りの開口（21,22,23,26,27）が遮断状態となっている。左側仕切板（30）では、第１左上開口（33）と第３左上開口（37）とが連通状態となり、残りの開口（31,32,34,35,36）が遮断状態となっている。第１シャッタ（61）は閉鎖状態となり、第２シャッタ（62）は開口状態となっている。
【０１２８】
第２空気は、左下部流路（68）から左側空気導入路（70）へと流れ、第３左上開口（37）を通って中央流路（57）へ流入する。
【０１２９】
図２３にも示すように、中央流路（57）の第２空気は、加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与され、その後に第２上部流路（55）へ流入する。そして、第２空気は、第２右上開口（25）を通って右上部流路（65）へ流入し、その後に第１空間（41）を通って排気口（14）から室外へ排出される。
【０１３０】
尚、第２吸着素子（82）についての第２再生動作を行う場合における第１空気の流れは、上記第１再生動作と同じであるため、説明を省略する。
【０１３１】
（第２動作）
換気除湿運転の第２動作について、図１５および図１６を参照しながら説明する。
【０１３２】
まず、第２吸着素子（82）についての吸着動作と第１吸着素子（81）についての第１再生動作とを行う場合において、図１５に示すように、右側仕切板（20）では、第１右上開口（23）と第２右下開口（26）とが連通状態となり、残りの開口（21,22,24,25,27）が遮断状態となっている。左側仕切板（30）では、第２左側開口（32）と第２左上開口（35）とが連通状態となり、残りの開口（31,33,34,36,37）が遮断状態となっている。第１シャッタ（61）は開口状態となり、第２シャッタ（62）は閉鎖状態となっている。
【０１３３】
第１空気は、右下部流路（66）から第２右下開口（26）を通って第２下部流路（56）へ流入する。一方、第２空気は、左下部流路（68）から第２左側開口（32）を通って第２流路（52）へ流入する。
【０１３４】
図２４にも示すように、第２下部流路（56）の第１空気は、第２吸着素子（82）の調湿用通路（85）を流れる間に減湿され、その後に第２上部流路（55）へ流入する。続いて、第１空気は、第２左上開口（35）を通って左上部流路（67）へ流入し、その後に第２空間（42）へ流入する。そして、第１空気は、第２熱源用熱交換器（104）で冷媒と熱交換して冷却され、その後に給気口（16）を通って室内へ供給される。
【０１３５】
一方、第２流路（52）の第２空気は、第２吸着素子（82）の冷却用通路（86）を通過する間に吸着熱を吸熱し、その後中央流路（57）へ流入して加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与され、その後に第１上部流路（53）へ流入する。そして、第２空気は、第１右上開口（23）を通って右上部流路（65）へ流入し、その後に第１空間（41）を通って排気口（14）から室外へ排出される。
【０１３６】
次に、第２吸着素子（82）についての吸着動作と第１吸着素子（81）についての第２再生動作とを行う場合において、図１６に示すように、右側仕切板（20）では、第１右上開口（23）と第２右下開口（26）とが連通状態となり、残りの開口（21,22,24,25,27）が遮断状態となっている。左側仕切板（30）では、第２左上開口（35）と第３左上開口（37）とが連通状態となり、残りの開口（31,32,33,34,36）が遮断状態となっている。第１シャッタ（61）は開口状態となり、第２シャッタ（62）は閉鎖状態となっている。
【０１３７】
第２空気は、左下部流路（68）から左側空気導入路（70）へと流れ、第３左上開口（37）を通って中央流路（57）へ流入する。
【０１３８】
図２５にも示すように、中央流路（57）の第２空気は、加熱用熱交換器（102）を通過する間に加熱されてから第１下部流路（54）へ流入する。続いて、第２空気は、第１下部流路（54）から第１吸着素子（81）の調湿用通路（85）へ導入され、吸着剤から脱離した水分を付与され、その後に第１上部流路（53）へ流入する。そして、第２空気は、第１右上開口（23）を通って右上部流路（65）へ流入し、その後に第１空間（41）を通って排気口（14）から室外へ排出される。
【０１３９】
尚、第１吸着素子（81）についての第２再生動作を行う場合における第１空気の流れは、上記第１再生動作と同じであるため、説明を省略する。
【０１４０】
−運転制御−
上述のように、上記調湿装置では、循環加湿運転、循環除湿運転、換気加湿運転および換気除湿運転のそれぞれにおいて、第１再生動作と第２再生動作とが選択的に行われる。
【０１４１】
ここで、室外空気（OA）や室内空気（RA）の相対湿度は、例えば１０％や９０％といった極端な値となるのは極めて希であり、通常はある程度の範囲内の値となる。このため、吸着側の吸着素子（81,82）の調湿用通路（85）へ導入される第１空気の温度がわかると、吸着素子（81,82）に水分が吸着される際に生じる吸着熱の熱量をある程度推測できる。吸着熱の熱量を推測できれば、吸着側の吸着素子（81,82）の温度がどの程度にまで上昇するかを推測できる。つまり、吸着側の吸着素子（81,82）へ導入される第１空気の温度から吸着側の吸着素子（81,82）の温度を推測できる。そして、吸着素子（81,82）の温度の推測値と第２空気の温度の実測値との関係がわかれば、それに基づいて第１再生動作と第２再生動作のどちらが有利かを判断できる。
【０１４２】
そこで、本実施形態の調湿装置は、第２空気の温度の検出値から第１空気の温度の検出値を引いた値の大小に応じて、第１再生動作と第２再生動作とを切り換えて行う。以下では、第１再生動作と第２再生動作の相互切り換えについて、具体的に説明する。
【０１４３】
調湿装置は、第２空気の温度の検出値から第１空気の温度の検出値を引いた値が所定の基準値よりも小さければ、吸着素子（81,82）の温度の推測値が第２空気の温度の検出値よりも高くなると判断し、第１再生動作を行う。この第１再生動作では、第２空気が吸着側の吸着素子（81,82）の冷却用通路（86）へ導入される。この冷却用通路（86）を流れる第２空気は、吸着側の吸着素子（81,82）で生じる吸着熱を吸熱し、それによって吸着素子（81,82）や第１空気の温度上昇が低減されて第１空気中の水分の吸着量が確保される。
【０１４４】
吸着素子（81,82）の冷却用通路（86）を通過した第２空気は、加熱用熱交換器（102）で更に加熱されてから再生側の吸着素子（81,82）へ送られる。このため、より高温の第２空気が再生側の吸着素子（81,82）へ導入されることとなり、再生側の吸着素子（81,82）での第２空気に対する加湿量が確保される。
【０１４５】
一方、調湿装置は、第２空気の温度の検出値から第１空気の温度の検出値を引いた値が所定の基準値よりも大きければ、吸着素子（81,82）の温度の推測値が第２空気の温度の検出値よりも低くなると判断し、第２再生動作を行う。この第２再生動作では、第２空気が吸着側の吸着素子（81,82）の冷却用通路（86）をバイパスして加熱用熱交換器（102）へ導入される。このため、吸着側の吸着素子（81,82）や第１空気の温度上昇が低減されて第１空気中の水分の吸着量が確保される。
【０１４６】
吸着素子（81,82）の冷却用通路（86）をバイパスした第２空気は、加熱用熱交換器（102）で加熱されてから再生側の吸着素子（81,82）へ送られる。このため、高温の第２空気が再生側の吸着素子（81,82）へ導入されることとなり、再生側の吸着素子（81,82）での第２空気に対する加湿量が確保される。
【０１４７】
尚、循環加湿運転時および換気除湿運転時には、ケーシング（10）内に第２空気として取り込まれる室内空気（RA）の温度が内気温度センサ（1）によって検出され、ケーシング（10）内に第１空気として取り込まれる室外空気（OA）の温度が外気温度センサ（2）によって検出される。また、循環除湿運転時および換気加湿運転時には、ケーシング（10）内第１空気として取り込まれる室内空気（RA）の温度が内気温度センサ（1）によって検出され、ケーシング（10）内に第２空気として取り込まれる室外空気（OA）の温度が外気温度センサ（2）によって検出される。
【０１４８】
−実施形態１の効果−
本実施形態では、第１再生動作と第２再生動作とが選択的に行われる。具体的に、吸着側の吸着素子（81,82）の温度がこの吸着素子（81,82）へ導入される第２空気の温度よりも高くなる場合には、第１再生動作が行われる。第１再生動作を行うと、第２空気が吸着側の吸着素子（81,82）の冷却用通路（86）へ導入され、調湿用通路（85）で生じる吸着熱が第２空気へ吸熱される。この結果、吸着側の吸着素子（81,82）および第１空気の温度上昇を低減して第１空気中の水分の吸着量を増大させることができる。また、吸着側の吸着素子（81,82）で第２空気を加熱でき、加熱用熱交換器（102）を通過後の第２空気の温度を上昇させることができる。この結果、再生側の吸着素子（81,82）から脱離する水分量を増大させることができる。
【０１４９】
一方、吸着側の吸着素子（81,82）の温度がこの吸着素子（81,82）へ導入される第２空気の温度よりも低くなる場合には、第２再生動作が行われる。第２再生動作を行い、第２空気の一部又は全部を吸着側の吸着素子（81,82）をバイパスさせると、第２空気による吸着素子（81,82）や第１空気の加熱を防止でき、第１空気中の水分の吸着量を確保できる。また、第２空気から吸着側の吸着素子（81,82）への放熱を防止でき、加熱用熱交換器（102）から吸着素子（81,82）へ送られる第２空気の温度低下を防止できる。この結果、再生側の吸着素子（81,82）から脱離する水分量を確保できる。
【０１５０】
従って、本実施形態によれば、空気の湿度調節を行う調湿装置において、第１再生動作と第２再生動作とを選択的に行うことにより、様々な運転条件においても吸着素子（81,82）への水分の吸着量を確保することができ、その能力を最大限に発揮させることができる。
【０１５１】
また、本実施形態では、第１再生動作と第２再生動作のうちどちらを行うかの選択を、第１検出手段および第２検出手段の検出値に基づいて行っている。ここで、第１検出手段の検出値は吸着素子（81,82）へ送られる第１空気の状態を示すものであり、この検出値を考慮すれば第１空気中の水分を吸着する吸着素子（81,82）の温度を推測できる。そして、第２検出手段の検出値として示される第２空気の状態を併せて考慮すれば、冷却用通路（86）へ第２空気を導入することによって吸着素子（81,82）を冷却できるか否かを判断できる。
【０１５２】
具体的に、第１検出手段の検出値から、吸着側の吸着素子（81,82）で生じる吸着熱の熱量をある程度推測でき、吸着熱の熱量から吸着側の吸着素子（81,82）の温度がどの程度にまで上昇するかを推測できる。つまり、第１検出手段の検出値から吸着側の吸着素子（81,82）の温度を推測できる。そして、吸着素子（81,82）の温度の推測値と第２空気の温度の検出値との関係がわかれば、それに基づいて第１再生動作と第２再生動作のどちらが有利かを判断できる。
【０１５３】
従って、本実施形態によれば、第１検出手段および第２検出手段の検出値を考慮することにより、吸着素子（81,82）へ吸着される水分量を確保するために第１再生動作および第２再生動作のどちらが有利か的確に判断することが可能となる。
【０１５４】
−実施形態１の変形例−
上記実施形態１の調湿装置の構成を変更してもよい。ここでは、本変形例において、上記実施形態１と異なる点を説明する。
【０１５５】
本変形例の調湿装置には、湿度センサが追加されている。この湿度センサは、第１空気の相対湿度を検出するためのものであって、ケーシング（10）における室内側吸込口（13）および室外側吸込口（15）の近傍に１つずつ設けられている。循環除湿運転時および換気加湿運転時には、室内側吸込口（13）の近傍の湿度センサが第１検出手段を構成する。循環加湿運転時および換気除湿運転時には、室外側吸込口（15）の近傍の湿度センサが第１検出手段を構成する。尚、湿度センサについては、図示を省略する。
【０１５６】
吸着側の吸着素子（81,82）の調湿用通路（85）へ導入される第１空気の温度および湿度がわかると、吸着素子（81,82）に水分が吸着される際に生じる吸着熱の熱量を推測でき、吸着熱の熱量から吸着側の吸着素子（81,82）の温度がどの程度にまで上昇するかを推測できる。つまり、吸着側の吸着素子（81,82）へ導入される第１空気の温度および湿度から吸着側の吸着素子（81,82）の温度を推測できる。そして、吸着素子（81,82）の温度の推測値と第２空気の温度の実測値との関係がわかれば、それに基づいて第１再生動作と第２再生動作のどちらが有利かを判断できる。
【０１５７】
ここで、第１空気の温度と湿度とを様々に変化させて吸着側の吸着素子（81,82）の温度がどの程度にまで上昇するかを予め試験により計測しておき、この計測値に基づいて作成したデータベースに第１空気の温度および湿度の検出値を入力すれば、これらの検出値から吸着側の吸着素子（81,82）の温度がどの程度にまで上昇するかを比較的正確に推測できる。
【０１５８】
そして、上記データベースに基づき、第１空気の温度および湿度の検出値から吸着側の吸着素子（81,82）の温度を推測し、この推測値と第２空気の温度の検出値とを比較する。比較の結果、吸着素子（81,82）の温度の推測値が第２空気の温度の検出値よりも高ければ第１再生動作を行い、吸着素子（81,82）の温度の推測値が第２空気の温度の検出値よりも低ければ第２再生動作を行う。
【０１５９】
本変形例では、温度センサと湿度センサとで第１検出手段を構成し、この第１検出手段で第１空気の温度と湿度の両方を検出している。このため、吸着側の吸着素子（81,82）で生じる吸着熱の熱量を正確に推測でき、吸着熱の熱量から吸着側の吸着素子（81,82）の温度がどの程度にまで上昇するかを比較的正確に推測できる。
【０１６０】
従って、本変形例によれば、第１検出手段の検出値である第１空気の温度および湿度と、第２検出手段の検出値である第２空気の温度とを考慮することにより、吸着素子（81,82）へ吸着される水分量を確保するために第１再生動作と第２再生動作のどちらが有利か一層的確に判断することが可能となる。
【０１６１】
《発明の実施形態２》
本発明の実施形態２は、上記実施形態１の調湿装置の構成を変更したものである。ここでは、本実施形態について、上記実施形態１と異なる点を説明する。
【０１６２】
図２６に示すように、本実施形態の調湿装置では、第３右上開口（27）および第３左上開口（37）が省略され、右側仕切壁（29）および左側仕切壁（39）が省略されている。また、右側空気導入路（69）および左側空気導入路（70）が省略されている。
【０１６３】
循環加湿運転において第１吸着素子（81）についての吸着動作と第２吸着素子（82）についての第２再生動作とを行う場合に、右側仕切板（20）では、第１右上開口（23）と第１右下開口（24）とが連通状態となり、残りの開口（21,22,25,26）が遮断状態となっている。左側仕切板（30）では、第２左側開口（32）と第２左上開口（35）とが連通状態となり、残りの開口（31,33,34,36）が遮断状態となっている。
【０１６４】
第１空気は、右下部流路（66）から第１右下開口（24）を通って第１下部流路（54）へ流入する。一方、第２空気は、左下部流路（68）から第２左側開口（32）を通って第２流路（52）へ流入する。
【０１６５】
図２７にも示すように、第１下部流路（54）の第１空気は、第１吸着素子（81）の調湿用通路（85）を流れる間に水分を奪われ、その後に第１上部流路（53）へ流入する。続いて、第１空気は、第１右上開口（23）を通って右上部流路（65）へ流入し、その後に第１空間（41）へ流入する。そして、第１空気は、第１熱源用熱交換器（103）で冷媒と熱交換し、その後に排気口（14）を通って室外へ排出される。
【０１６６】
一方、第２流路（52）の第２空気は、第２吸着素子（82）の冷却用通路（86）へ流入する。この第２空気は、冷却用通路（86）を通過後に中央流路（57）へ流入し、加熱用熱交換器（102）を通過する間に加熱されてから第２下部流路（56）へ流入する。続いて、第２空気は、第２下部流路（56）から第２吸着素子（82）の調湿用通路（85）へ導入され、吸着剤から脱離した水分を付与されて加湿され、その後に第２上部流路（55）へ流入する。そして、第２空気は、第２左上開口（35）を通って左上部流路（67）へ流入し、その後に第２空間（42）を通って給気口（16）から室内へ供給される。
【０１６７】
尚、循環加湿運転で第１吸着素子（81）についての吸着動作と第２吸着素子（82）についての第１再生動作とを行う場合に、第１空気および第２空気の流れは、上記実施形態１と同じである。
【０１６８】
また、本実施形態の調湿装置では、上記実施形態１と同様に、第１空気および第２空気の流通経路を切り換えることにより、循環加湿運転、循環除湿運転、換気加湿運転および換気除湿運転を行う共にそれぞれの運転において第１動作と第２動作とを交互に繰り返し行うことが可能である。
【０１６９】
本実施形態によれば、第３右上開口（27）および第３左上開口（37）が設けられていない調湿装置の構成によっても第２空気が吸着側の吸着素子（81,82）をバイパスする第２再生動作を行うことが可能である。従って、本実施形態によれば、調湿装置の構成を簡素化できる。
【０１７０】
《発明の実施形態３》
本発明の実施形態３は、上記実施形態１の調湿装置の構成を変更したものである。ここでは、本実施形態について、上記実施形態１と異なる点を説明する。
【０１７１】
図２８に示すように、本実施形態の調湿装置では、冷媒回路の加熱用熱交換器（102）が、中央流路（57）にほぼ垂直に立った状態で設置されている。中央流路（57）は、この加熱用熱交換器（102）によって、前後に２つの空間に区画されている。
【０１７２】
循環加湿運転又は換気加湿運転において、第１吸着素子（81）についての吸着動作と第２吸着素子（82）についての第２再生動作とを行う場合には、中央流路（57）のうち手前側の空間へ第２空気が導入される。この第２空気は、加熱用熱交換器（102）で加熱された後に中央流路（57）のうち後側の空間へ流入し、第２下部流路（56）通って第２吸着素子（82）の調湿用通路（85）へ流入する。
【０１７３】
また、図示しないが、循環加湿運転又は換気加湿運転において、第２吸着素子（82）についての吸着動作と第１吸着素子（81）についての第２再生動作とを行う場合には、中央流路（57）のうち後側の空間へ第２空気が導入される。この第２空気は、加熱用熱交換器（102）で加熱された後に中央流路（57）のうち手前側の空間へ流入し、第１下部流路（54）を通って第１吸着素子（81）の調湿用通路（85）へ流入する。
【０１７４】
尚、本実施形態の調湿装置では、上記実施形態１と同様に、第１空気および第２空気の流通経路を切り換えることにより、循環加湿運転、循環除湿運転、換気加湿運転および換気除湿運転を行う共にそれぞれの運転において第１動作と第２動作とを交互に繰り返し行うことが可能である。
【０１７５】
《発明の実施形態４》
本発明の実施形態４は、上記実施形態１の調湿装置の構成を変更したものである。ここでは、本実施形態について、上記実施形態１と異なる点を説明する。
【０１７６】
図２９に示すように、本実施形態の調湿装置には、第１シャッタ（61）および第２シャッタ（62）に代えて、前側シャッタ（63）および後側シャッタ（64）が設けられている。
【０１７７】
前側シャッタ（63）は、第１流路（51）と第１下部流路（54）との間を仕切るためのものである。後側シャッタ（64）は、第２流路（52）と第２下部流路（56）との間を仕切るためのものである。前側シャッタ（63）と後側シャッタ（64）とは、何れもが開閉自在に構成されている。
【０１７８】
また、第１シャッタ（61）および第２シャッタ（62）の設けられる場所には、空気の流通を防止するための図示しない仕切板が設けられている。この仕切板によって、中央流路（57）と第１下部流路（54）との連通が阻止され、中央流路（57）と第２下部流路（56）との連通が阻止される。
【０１７９】
循環加湿運転又は換気加湿運転において、第１吸着素子（81）についての吸着動作と第２吸着素子（82）についての第２再生動作とを行う場合には、前側シャッタ（63）が閉鎖状態となり、後側シャッタ（64）が開口状態となる。この状態では、中央流路（57）における加熱用熱交換器（102）の下に設けられた空間へ第２空気が導入される。第２空気は、加熱用熱交換器（102）で加熱された後に第２吸着素子（82）の冷却用通路（86）へ流入する。冷却用通路（86）を通過した第２空気は、一旦第２流路（52）へ流出した後、第２下部流路（56）を通って第２吸着素子（82）の調湿用通路（85）へ流入する。
【０１８０】
また、図示しないが、循環加湿運転又は換気加湿運転において、第２吸着素子（82）についての吸着動作と第１吸着素子（81）についての第２再生動作とを行う場合には、前側シャッタ（63）が開口状態となり、後側シャッタ（64）が閉鎖状態となる。この状態では、中央流路（57）における加熱用熱交換器（102）の下に設けられた空間へ第２空気が導入される。第２空気は、加熱用熱交換器（102）で加熱された後に第１吸着素子（81）の冷却用通路（86）へ流入する。冷却用通路（86）を通過した第２空気は、一旦第１流路（51）へ流出した後、第１下部流路（54）を通って第１吸着素子（81）の調湿用通路（85）へ流入する。
【０１８１】
尚、本実施形態の調湿装置では、上記実施形態１と同様に、第１空気および第２空気の流通経路を切り換えることにより、循環加湿運転、循環除湿運転、換気加湿運転および換気除湿運転を行う共にそれぞれの運転において第１動作と第２動作とを交互に繰り返し行うことが可能である。
【０１８２】
本実施形態によれば、再生側の吸着素子（81,82）の調湿側通路（85）と冷却側通路（86）の両方を第２空気が通過する。従って、調湿側通路（85）のみへ第２空気を導入する場合に比べて吸着素子（81,82）の温度を上昇させることができ、吸着素子（81,82）を確実に再生することができる。
【０１８３】
−実施形態４の変形例−
上記実施形態４の調湿装置の構成を変更してもよい。ここでは、本変形例について、上記実施形態４と異なる点を説明する。
【０１８４】
図３０に示すように、本変形例の調湿装置では、冷媒回路の加熱用熱交換器（102）が、中央流路（57）にほぼ垂直に立った状態で設置されている。中央流路（57）は、この加熱用熱交換器（102）によって、前後に２つの空間に区画されている。
【０１８５】
循環加湿運転又は換気加湿運転において、第１吸着素子（81）についての吸着動作と第２吸着素子（82）についての第２再生動作とを行う場合には、中央流路（57）のうち手前側の空間へ第２空気が導入される。この第２空気は、加熱用熱交換器（102）で加熱されてから中央流路（57）のうち後側の空間へ流入し、その後に第２吸着素子（82）の調湿用通路（85）へ流入する。
【０１８６】
また、図示しないが、循環加湿運転又は換気加湿運転において、第２吸着素子（82）についての吸着動作と第１吸着素子（81）についての第２再生動作とを行う場合には、中央流路（57）のうち後側の空間へ第２空気が導入される。この第２空気は、加熱用熱交換器（102）で加熱されてから中央流路（57）のうち手前側の空間へ流入し、その後に第１吸着素子（81）の調湿用通路（85）へ流入する。
【０１８７】
《発明の実施形態５》
本発明の実施形態５は、いわゆるロータ形の吸着素子（150）を１つだけ備える調湿装置である。この調湿装置は、吸着動作と再生動作とを行い、吸着素子（150）による空気の減湿と吸着素子（150）の再生とを同時に行うように構成されている。
【０１８８】
図３１に示すように、上記吸着素子（150）は、ドーナツ状、あるいは厚肉の円筒状に形成されている。この吸着素子（150）には、その円周方向において、調湿用通路（85）と冷却用通路（86）とが交互に区画形成されている。
【０１８９】
調湿用通路（85）は、吸着素子（150）をその軸方向に貫通している。つまり、調湿用通路（85）は、図３１における吸着素子（150）の前面および背面に開口している。また、調湿用通路（85）の内壁には、吸着剤が塗布されている。一方、冷却用通路（86）は、吸着素子（150）をその半径方向に貫通している。つまり、冷却用通路（86）は、吸着素子（150）の外周面および内周面に開口している。
【０１９０】
図３２および図３３に示すように、上記調湿装置では、吸着素子（150）が吸着ゾーン（151）と再生ゾーン（152）とに跨って設置されている。この吸着素子（150）は、その中心を通る軸周りで連続的に回転駆動されている。
【０１９１】
上記調湿装置の冷媒回路には、圧縮機、加熱用熱交換器（102）、膨張弁および熱源用熱交換器（105）が設けられている。尚、図３２および図３３では、加熱用熱交換器（102）および熱源用熱交換器（105）だけを図示している。
【０１９２】
図３２に示すように、第１再生動作では、吸着ゾーン（151）に位置する吸着素子（150）の部分の調湿用通路（85）へ第１空気が導入され、当該部分の冷却用通路（86）へ第２空気が導入される。その際、第１空気は、図３２における吸着素子（150）の前面側から調湿用通路（85）へ送り込まれる。一方、第２空気は、吸着素子（150）の内周面側から冷却用通路（86）へ送り込まれる。
【０１９３】
吸着ゾーン（151）において、吸着素子（150）の調湿用通路（85）では、第１空気中の水分が吸着剤に吸着され、吸着熱が吸着素子（150）の冷却用通路（86）を流れる第２空気に吸熱される。吸着ゾーン（151）で水分を奪われた第１空気は、熱源用熱交換器（105）を通過する間に冷却される。
【０１９４】
一方、吸着ゾーン（151）で吸着熱を奪った第２空気は、加熱用熱交換器（102）を通過する間に加熱され、その後に再生ゾーン（152）に位置する吸着素子（150）の調湿用通路（85）へ導入される。その際、第２空気は、図３２における吸着素子（150）の背面側から調湿用通路（85）へ送り込まれる。
【０１９５】
再生ゾーン（152）へは、吸着素子（150）の回転移動に伴って、吸着ゾーン（151）に位置していた吸着素子（150）の部分が移動してくる。この再生ゾーン（152）に位置する吸着素子（150）の部分の調湿用通路（85）では、第２空気によって吸着剤が加熱され、吸着剤から脱離した水分が第２空気に付与される。
【０１９６】
そして、循環加湿運転又は換気加湿運転において加湿された第２空気が室内へ供給され、循環除湿運転又は換気除湿運転において除湿された第１空気が室内へ供給される。
【０１９７】
一方、図３３に示すように、第２再生動作では、第２空気が吸着ゾーン（151）に位置する吸着素子（150）の部分の冷却用通路（86）をバイパスして加熱用熱交換器（102）へ導入される。尚、第２再生動作において、第１空気についての吸着動作および加熱用熱交換器（102）へ導入された後の第２空気についての再生動作は、上記第１再生動作と同じである。
【０１９８】
《その他の実施形態》
上記実施形態１〜５の調湿装置の構成を変更してもよい。ここでは、本変形例について、上記実施形態１〜５と異なる点を説明する。
【０１９９】
本変形例の調湿装置では、第２再生動作において、ケーシング（10）内に取り込まれた第２空気は、その一部が吸着素子（81,82,150）の冷却用通路（86）を通過後に加熱用熱交換器（102）へ導入され、残りが吸着素子（81,82,150）の冷却用通路（86）をバイパスしてから加熱用熱交換器（102）へ導入される。つまり、吸着素子（81,82,150）の冷却用通路（86）へ流入した第２空気は、この冷却用通路（86）を通過後に、吸着素子（81,82,150）の冷却用通路（86）をバイパスした第２空気と合流し、加熱用熱交換器（102）へ導入される。
【産業上の利用可能性】
【０２００】
以上説明したように、本発明は、空気の湿度調節を行う調湿装置について有用である。
【図面の簡単な説明】
【０２０１】
【図１】実施形態１に係る調湿装置の構成および循環加湿運転の第１動作において第１再生動作を行う場合の空気の流れを示す概略図である。
【図２】実施形態１に係る調湿装置の構成および循環加湿運転の第１動作において第２再生動作を行う場合の空気の流れを示す概略図である。
【図３】実施形態１に係る調湿装置の構成および循環加湿運転の第２動作において第１再生動作を行う場合の空気の流れを示す概略図である。
【図４】実施形態１に係る調湿装置の構成および循環加湿運転の第２動作において第２再生動作を行う場合の空気の流れを示す概略図である。
【図５】実施形態１に係る調湿装置の構成および循環除湿運転の第１動作において第１再生動作を行う場合の空気の流れを示す概略図である。
【図６】実施形態１に係る調湿装置の構成および循環除湿運転の第１動作において第２再生動作を行う場合の空気の流れを示す概略図である。
【図７】実施形態１に係る調湿装置の構成および循環除湿運転の第２動作において第１再生動作を行う場合の空気の流れを示す概略図である。
【図８】実施形態１に係る調湿装置の構成および循環除湿運転の第２動作において第２再生動作を行う場合の空気の流れを示す概略図である。
【図９】実施形態１に係る調湿装置の構成および換気加湿運転の第１動作において第１再生動作を行う場合の空気の流れを示す概略図である。
【図１０】実施形態１に係る調湿装置の構成および換気加湿運転の第１動作において第２再生動作を行う場合の空気の流れを示す概略図である。
【図１１】実施形態１に係る調湿装置の構成および換気加湿運転の第２動作において第１再生動作を行う場合の空気の流れを示す概略図である。
【図１２】実施形態１に係る調湿装置の構成および換気加湿運転の第２動作において第２再生動作を行う場合の空気の流れを示す概略図である。
【図１３】実施形態１に係る調湿装置の構成および換気除湿運転の第１動作において第１再生動作を行う場合の空気の流れを示す概略図である。
【図１４】実施形態１に係る調湿装置の構成および換気除湿運転の第１動作において第２再生動作を行う場合の空気の流れを示す概略図である。
【図１５】実施形態１に係る調湿装置の構成および換気除湿運転の第２動作において第１再生動作を行う場合の空気の流れを示す概略図である。
【図１６】実施形態１に係る調湿装置の構成および換気除湿運転の第２動作において第２再生動作を行う場合の空気の流れを示す概略図である。
【図１７】実施形態１に係る調湿装置の吸着素子の構成を示す概略斜視図である。
【図１８】実施形態１に係る調湿装置の構成および循環加湿運転又は換気加湿運転の第１動作において第１再生動作を行う場合の空気の流れを示す図である。
【図１９】実施形態１に係る調湿装置の構成および循環加湿運転又は換気加湿運転の第１動作において第２再生動作を行う場合の空気の流れを示す図である。
【図２０】実施形態１に係る調湿装置の構成および循環加湿運転又は換気加湿運転の第２動作において第１再生動作を行う場合の空気の流れを示す図である。
【図２１】実施形態１に係る調湿装置の構成および循環加湿運転又は換気加湿運転の第２動作において第２再生動作を行う場合の空気の流れを示す図である。
【図２２】実施形態１に係る調湿装置の構成および循環除湿運転又は換気除湿運転の第１動作において第１再生動作を行う場合の空気の流れを示す図である。
【図２３】実施形態１に係る調湿装置の構成および循環除湿運転又は換気除湿運転の第１動作において第２再生動作を行う場合の空気の流れを示す図である。
【図２４】実施形態１に係る調湿装置の構成および循環除湿運転又は換気除湿運転の第２動作において第１再生動作を行う場合の空気の流れを示す図である。
【図２５】実施形態１に係る調湿装置の構成および循環除湿運転又は換気除湿運転の第２動作において第２再生動作を行う場合の空気の流れを示す図である。
【図２６】実施形態２に係る調湿装置の構成および循環加湿運転の第１動作において第２再生動作を行う場合の空気の流れを示す概略図である。
【図２７】実施形態２に係る調湿装置の構成および循環加湿運転又は換気加湿運転の第１動作において第２再生動作を行う場合の空気の流れを示す図である。
【図２８】実施形態３に係る調湿装置の構成および循環加湿運転又は換気加湿運転の第１動作において第２再生動作を行う場合の空気の流れを示す図である。
【図２９】実施形態４に係る調湿装置の構成および循環加湿運転又は換気加湿運転の第１動作において第２再生動作を行う場合の空気の流れを示す図である。
【図３０】実施形態４に係る調湿装置の構成および循環加湿運転又は換気加湿運転の第１動作において第２再生動作を行う場合の空気の流れを示す図である。
【図３１】実施形態５に係る調湿装置の吸着素子の構成を示す概略斜視図である。
【図３２】実施形態５に係る調湿装置の構成および第１再生動作における空気の流れを示す図である。
【図３３】実施形態５に係る調湿装置の構成および第２再生動作における空気の流れを示す図である。
【符号の説明】
【０２０２】
（81）  第１の吸着素子（第１吸着素子）
（82）  第２の吸着素子（第２吸着素子）
（85）  調湿用通路
（86）  冷却用通路
（102） 加熱器（加熱用熱交換器）
（81,82,150）  吸着素子
【図１】
2005156003.tif 000003
【図２】
2005156003.tif 000004
【図３】
2005156003.tif 000005
【図４】
2005156003.tif 000006
【図５】
2005156003.tif 000007
【図６】
2005156003.tif 000008
【図７】
2005156003.tif 000009
【図８】
2005156003.tif 000010
【図９】
2005156003.tif 000011
【図１０】
2005156003.tif 000012
【図１１】
2005156003.tif 000013
【図１２】
2005156003.tif 000014
【図１３】
2005156003.tif 000015
【図１４】
2005156003.tif 000016
【図１５】
2005156003.tif 000017
【図１６】
2005156003.tif 000018
【図１７】
2005156003.tif 000019
【図１８】
2005156003.tif 000020
【図１９】
2005156003.tif 000021
【図２０】
2005156003.tif 000022
【図２１】
2005156003.tif 000023
【図２２】
2005156003.tif 000024
【図２３】
2005156003.tif 000025
【図２４】
2005156003.tif 000026
【図２５】
2005156003.tif 000027
【図２６】
2005156003.tif 000028
【図２７】
2005156003.tif 000029
【図２８】
2005156003.tif 000030
【図２９】
2005156003.tif 000031
【図３０】
2005156003.tif 000032
【図３１】
2005156003.tif 000033
【図３２】
2005156003.tif 000034
【図３３】
2005156003.tif 000035